(57)【特許請求の範囲】
【請求項１】
開度変化により通気量を調節する複数のルーバを備え、熱源機を囲む防音壁と、
前記熱源機が設置される施設の敷地外に伝わる音が騒音規制値に収まる範囲で前記各ルーバの開度を制御する制御手段と、
を備え、
前記制御手段は、前記防音壁の外側の複数の騒音監視ポイントの音が、その各騒音監視ポイントに対し前記騒音規制値に基づいて設定される各騒音制限値にそれぞれ収まる範囲で、前記防音壁の通気量が最大となるよう、前記各ルーバの開度を制御する、
騒音低減装置。
【請求項２】
前記制御手段は、
夜間時間帯において、前記各騒音監視ポイントの音が、その各騒音監視ポイントに対し夜間用の騒音規制値に基づいて設定される夜間用の各騒音制限値にそれぞれ収まる範囲で、前記各ルーバの通気量が最大となるよう、前記各ルーバの開度を制御し、
朝夕時間帯において、前記各騒音監視ポイントの音が、その各騒音監視ポイントに対し朝夕用の騒音規制値（＞前記夜間用の騒音規制値）に基づいて設定される朝夕用の各騒音制限値にそれぞれ収まる範囲で、前記各ルーバの通気量が最大となるよう、前記各ルーバの開度を制御し、
昼間時間帯において、前記各騒音監視ポイントの音が、その各騒音監視ポイントに対し昼間用の騒音規制値（＞前記朝夕用の騒音規制値）に基づいて設定される昼間用の各騒音制限値にそれぞれ収まる範囲で、前記各ルーバの通気量が最大となるよう、前記各ルーバの開度を制御する、
請求項１に記載の騒音低減装置。
【請求項３】
前記熱源機に散水する散水手段をさらに備え、
前記制御手段は、
前記夜間時間帯において前記散水手段による散水を連続的に実行し、
前記朝夕時間帯において前記散水手段による散水を間欠的に実行し、
前記昼間時間帯において前記散水手段による散水を停止する、
請求項２に記載の騒音低減装置。
【請求項４】
前記熱源機に散水する散水手段をさらに備え、
前記制御手段は、
前記朝夕時間帯において、前記防音壁の内側の空気温度が設定値未満の場合に前記散水手段による散水を間欠的に実行し、前記防音壁の内側の空気温度が前記設定値以上の場合に前記散水手段による散水を連続的に実行する、
前記昼間時間帯において、前記防音壁の内側の空気温度が前記設定値未満の場合に前記散水手段による散水を停止し、前記防音壁の内側の空気温度が前記設定値以上の場合に前記散水手段による散水を連続的または間欠的に実行する、
請求項２に記載の騒音低減装置。
【請求項５】
前記防音壁は、建物の屋上における前記熱源機の周りに立位状態で配置されている、
請求項１から請求項４のいずれか一項に記載の騒音低減装置。
【請求項６】
前記防音壁は、上縁部に複数枚の消音板を配列してなり、
前記各ルーバは、前記防音壁における前記各消音板より下方側の位置に配列されている、
請求項５に記載の騒音低減装置。
【請求項７】
前記熱源機は、建物の屋上に設置される複数台の熱源機であり、
前記防音壁は、前記建物の正面と対向する位置に配置される第１防音壁；前記建物の左側面と対向する位置に配置される第２防音壁；前記建物の背面と対向する位置に配置される第３防音壁；前記建物の右側面と対向する位置に配置される第４防音壁であり、
前記各ルーバは、前記第１防音壁に回動自在に設けられその回動位置に応じた開度変化により当該第１防音壁の通気量を調節する第１ルーバ；前記第２防音壁に回動自在に設けられその回動位置に応じた開度変化により当該第２防音壁の通気量を調節する第２ルーバ；前記第３防音壁に回動自在に設けられその回動位置に応じた開度変化により当該第３防音壁の通気量を調節する第３ルーバ；前記第４防音壁に回動自在に設けられその回動位置に応じた開度変化により当該第４防音壁の通気量を調節する第４ルーバであり、
前記制御手段は、
前記第１防音壁の外側の第１騒音監視ポイントの音が、その第１騒音監視ポイントに対し前記騒音規制値に基づいて設定される第１騒音制限値に収まる範囲で、前記第１防音壁の通気量が最大となるよう、前記第１ルーバの開度を制御し、
前記第２防音壁の外側の第２騒音監視ポイントの音が、その第２騒音監視ポイントに対し前記騒音規制値に基づいて設定される第２騒音制限値に収まる範囲で、前記第２防音壁の通気量が最大となるよう、前記第２ルーバの開度を制御し、
前記第３防音壁の外側の第３騒音監視ポイントの音が、その第３騒音監視ポイントに対し前記騒音規制値に基づいて設定される第３騒音制限値に収まる範囲で、前記第３防音壁の通気量が最大となるよう、前記第３ルーバの開度を制御し、
前記第４防音壁の外側の第４騒音監視ポイントの音が、その第４騒音監視ポイントに対し前記騒音規制値に基づいて設定される第４騒音制限値に収まる範囲で、前記第４防音壁の通気量が最大となるよう、前記第４ルーバの開度を制御する、
請求項１に記載の騒音低減装置。
【請求項８】
開度変化により通気量を調節する複数のルーバを備え、熱源機を囲む防音壁と、
前記熱源機が設置される施設の敷地外に伝わる音が騒音規制値に収まる範囲で前記各ルーバの開度を制御する制御手段と、
を備え、
前記制御手段は、前記防音壁の外側の複数の騒音監視ポイントの音が、その各騒音監視ポイントに対し前記騒音規制値に基づいて設定される各騒音制限値にそれぞれ収まる範囲で、前記防音壁の通気量が最大となるよう、前記各ルーバの開度を制御する、
騒音低減システム。
【請求項９】
前記防音壁は、上縁部に消音板を備えるとともに、その消音板より下方側の位置に前記各ルーバを備える、
請求項１から請求項７のいずれか一項に記載の騒音低減装置または請求項８に記載の騒音低減システム。
【発明の詳細な説明】
【技術分野】
【０００１】
本発明の実施形態は、熱源機が設置される施設の敷地外に伝わる音を低減する騒音低減装置および騒音低減システムに関する。
【背景技術】
【０００２】
情報化社会の進展に伴い、大量のデータをサーバ等のコンピュータで処理する施設いわゆるデータセンターが住宅地に隣接して建設されるケースが増えている。データセンターのコンピュータはその多くが昼夜を問わず連続して稼働する。
【先行技術文献】
【特許文献】
【０００３】
【特許文献１】特許第6080204号公報
【発明の概要】
【発明が解決しようとする課題】
【０００４】
データセンターの建物の屋上にはコンピュータの排熱を処理する空気調和装置の熱源機が設置され、この熱源機の運転音がデータセンターの敷地外に騒音として伝わる。
【０００５】
本発明の実施形態の目的は、熱源機が設置される施設の敷地外に伝わる音を低減する騒音低減装置および騒音低減システムを提供することである。
【課題を解決するための手段】
【０００６】
本実施形態の騒音低減装置は、開度変化により通気量を調節する複数のルーバを備え、熱源機を囲む防音壁と；前記熱源機が設置される施設の敷地外に伝わる音が騒音規制値に収まる範囲で前記各ルーバの開度を制御する制御手段と；を備える。前記制御手段は、前記防音壁の外側の複数の騒音監視ポイントの音が、その各騒音監視ポイントに対し前記騒音規制値に基づいて設定される各騒音制限値にそれぞれ収まる範囲で、前記防音壁の通気量が最大となるよう、前記各ルーバの開度を制御する。
【図面の簡単な説明】
【０００７】
【図１】一実施形態の構成およびその周辺部を上方から見た図。
【図２】図１における各熱源機の斜視図。
【図３】図１における正面側の防音壁の構成を示す図。
【図４】図３におけるA-A´線に沿う断面を矢視方向に見た図。
【図５】図４の各ルーバが回動した状態を示す図。
【図６】図１における左側面側の防音壁の構成を示す図。
【図７】図１における背面側の防音壁の構成を示す図。
【図８】図１における右側面側の防音壁の構成を示す図。
【図９】一実施形態におけるコントローラの制御を示すフローチャート。
【図１０】一実施形態におけるコントローラの制御の一部を示すタイムチャート。
【発明を実施するための形態】
【０００８】
本発明の一実施形態について図面を参照しながら説明する。一実施形態に関わるデータセンターの建物およびその周辺を上方から見た状態を図１に示している。
【０００９】
矩形状の敷地１は、敷地境界線２ａ，２ｂ，２ｃ，２ｄを介して隣りの住宅地と隣接している。この敷地１に、大量のデータをサーバ等のコンピュータで処理する施設いわゆるデータセンターの建物３が建てられている。データセンターのコンピュータは、その多くが昼夜を問わず連続して運転される。
【００１０】
このデータセンターの施設に対し、敷地１の外（敷地境界線２ａ，２ｂ，２ｃ，２ｄの外）に伝わる音を規制するための騒音規制値Ｎが行政機関等により定められている。騒音規制値Ｎは、夜間時間帯の騒音規制値Ｎ１，朝夕時間帯の騒音規制値Ｎ２（＞Ｎ１），昼間時間帯の騒音規制値Ｎ３（＞Ｎ２）を含む。最も厳しいのは夜間時間帯の騒音規制値Ｎ１であり、例えば40〜45dB程度が選定されている。
【００１１】
建物３は、コンピュータ室および事務室などが配置される複数階の床面を備える鉄筋コンクリート製のビルディングで、最上部の屋上に矩形状の平面（屋上平面という）４を備えるとともに、その平面４に隣接して機械室（屋上機械室という）５を備える。屋上機械室の屋根の高さ位置は、平面４の高さ位置より高い。屋上平面４には、図２に拡大して示す複数台の熱源機１０が縦横かつ矩形状に並べて配置されている。熱源機１０は、Ｖ字状に相対向する一対の室外熱交換器１１、これら室外熱交換器１１を通して外気を吸込みその吸込み空気を両室外熱交換器１１の相互間から上方に向け放出するファン１２を備え、建物３内に設置される多数台の室内機と共にヒートポンプ式の空気調和装置を構成する。
【００１２】
屋上平面４において、全ての熱源機１０を前後左右から囲む位置に、熱源機１０の全高を十分に超える高さ寸法の防音壁２１ａ，２１ｂ，２１ｃ，２１ｄが、立位状態でかつ矩形状に順次に連結された状態で配置されている。防音壁（第１防音壁）２１ａは建物３の正面と敷地境界線２ａとの間に存し、防音壁（第２防音壁）２１ｂは建物３の左側面と敷地境界線２ｂとの間に存し、防音壁（第３防音壁）２１ｃは建物３の背面と敷地境界線２ｃとの間に存し、防音壁（第４防音壁）２１ｄは建物３の右側面と敷地境界線２ｄとの間に存する。
【００１３】
防音壁２１ａ，２１ｂ，２１ｃ，２１ｄの内側空間において、全ての熱源機１０の全高より高い位置に、かつ防音壁２１ａ，２１ｂ，２１ｃ，２１ｄの全高より低い位置に、複数の散水ノズル（散水手段）３１，３２，３３，３４，３５，３６が分散配置されている。これら散水ノズル３１〜３６は、水管４１およびその水管４１に設けられたポンプ４２を介してタンク４３に接続され、ポンプ４２の運転によってタンク４３から供給される水をミスト化して各熱源機１０に散布する。タンク４３は水管４４を介して水の供給源に接続される。
【００１４】
各熱源機１０の上方に散水ノズル３１〜３６を支持する部材として、例えば、防音壁２１ａ，２１ｂ，２１ｃ，２１ｄの上部の相互間に格子状に配置される回折防止用の消音板（図示しない）が用いられる。
【００１５】
防音壁２１ａ，２１ｂ，２１ｃ，２１ｄの内側において、各熱源機１０と防音壁２１ａとの間の空間に空気温度センサ（例えば乾球温度計）５１が配置され、各熱源機１０と防音壁２１ｂとの間の空間に空気温度センサ５２が配置され、各熱源機１０と防音壁２１ｃとの間の空間に空気温度センサ５３が配置され、各熱源機１０と防音壁２１ｄとの間の空間に空気温度センサ５４が配置されている。
【００１６】
空気温度センサ５１は、各熱源機１０と防音壁２１ａとの間の空気温度（外気温度）Ｔａを検知する。空気温度センサ５２は、各熱源機１０と防音壁２１ｂとの間の空気温度Ｔｂを検知する。空気温度センサ５３は、各熱源機１０と防音壁２１ｃとの間の空気温度Ｔｃを検知する。空気温度センサ５４は、各熱源機１０と防音壁２１ｄとの間の空気温度Ｔｄを検知する。
【００１７】
屋上平面４における防音壁２１ａの外側の所定位置、例えば屋上平面４の周縁部のうち防音壁２１ａと対応する側の周縁部にかつ防音壁２１ａの水平方向長さのほぼ中間部と対向する位置に、第１騒音監視ポイントが定められている。そして、この第１騒音監視ポイントに騒音センサ６１が配置されている。
【００１８】
屋上平面４における防音壁２１ｂの外側の所定位置、例えば屋上平面４の周縁部のうち防音壁２１ｂと対応する側の周縁部にかつ防音壁２１ｂの水平方向長さのほぼ中間部と対向する位置に、第２騒音監視ポイントが定められている。そして、この第２騒音監視ポイントに騒音センサ６２が配置されている。
【００１９】
屋上平面４における防音壁２１ｃの外側の所定位置、例えば屋上機械室５の屋根において防音壁２１ｃと対応する側の端縁にかつ防音壁２１ｃの水平方向長さのほぼ中間部と対向する位置に、第３騒音監視ポイントが定められている。そして、この第３騒音監視ポイントに騒音センサ６３が配置されている。
【００２０】
屋上平面４における防音壁２１ｄの外側の所定位置、例えば屋上平面４の周縁部のうち防音壁２１ｄと対応する側の周縁部にかつ防音壁２１ｄの水平方向長さのほぼ中間部と対向する位置に、第４騒音監視ポイントが定められている。そして、この第４騒音監視ポイントに騒音センサ６４が配置されている。
【００２１】
騒音センサ６１は、各熱源機１０から発せられる運転音のうち防音壁２１ａを越えたり通過して敷地境界線２ａ方向に伝搬する音（騒音）を検知する。騒音センサ６２は、各熱源機１０の運転音のうち防音壁２１ｂを越えたり通過して敷地境界線２ｂ方向に伝搬する音を検知する。騒音センサ６３は、各熱源機１０の運転音のうち防音壁２１ｃを越えたり通過しつつさらに屋上機械室５の屋根を越えて敷地境界線２ｃ方向に伝搬する音を検知する。騒音センサ６４は、各熱源機１０の運転音のうち防音壁２１ｄを越えたり通過して敷地境界線２ｄ方向に伝搬する音を検知する。
【００２２】
上記空気温度センサ５１〜５４の検知温度データおよび上記騒音センサ６１〜６４の検知音データが制御手段であるコントローラ７０に通知される。コントローラ７０には、防音壁２１ａ〜２１ｄにおける後述の通気量調節機構１００，１２０，１４０，１６０を駆動する駆動部７１が接続されている。これらコントローラ７０および駆動部７１は、コントロールボックスに収容された状態で屋上床面４の所定箇所や屋上機械室５内の所定箇所に配置される。
【００２３】
防音壁２１ａは、外観を図３に示し、その図３のA-A´線に沿う断面を図４に示すように、各熱源機１０の配列の長手方向に沿って配置される基台部８１、この基台部８１の両端にそれぞれ垂直に立位状態で配置された柱部８２，８３、この柱部８２，８３の中途部の相互間に掛け渡された梁部材８４などを基本的な骨格として備える。そして、防音壁２１ａは、梁部材８４の複数個所から上方に向け立位状態で配置された複数の支持部材８５、これら支持部材８５，梁部材８４，柱部８２，８３で囲まれる空間に立位状態で配置されて当該防音壁２１ａの上縁部を形成する複数枚の消音板８６、これら消音板８６の下方側の梁部８４，柱部８２，８３，基台部８１で囲まれる矩形状の空間（開口）に上下方向に沿ってそれぞれ回動自在に配列された複数（例えば８枚）のルーバ（第１ルーバ）１０１、柱部８２に内蔵されたモータ１０２、このモータ１０２の動力を受けて各ルーバ１０１を回動する回動機構１０３、上記各消音板８６の外面に取付けられた複数の太陽光発電パネルＰなどを備える。
【００２４】
各ルーバ１０１は、回動位置に応じて開度Ｑａが全閉の0％から全開の100％まで連続的に変化し、この開度変化により防音壁２１ａにおける通気量を0〜100％の範囲で調節する。各ルーバ１０１、モータ１０２、回動機構１０３により、防音壁２１ａの通気量調節機構１００が構成される。
【００２５】
図３および図４に示すように各ルーバ１０１が縦方向に線状に並んで互いに接しているときの開度Ｑａは0％の全閉状態であり、このときの防音壁２１ａの通気量は0％である。図５に示すように各ルーバ１０１が45度ぐらいの角度に回動したときの開度Ｑａは全開のほぼ半分の50％であり、このときの防音壁２１ａの通気量は最大のほぼ半分の50％である。各ルーバ１０１の開度Ｑａが全閉の場合、各熱源機１０の運転音は、各ルーバ１０１の相互間を通過することなく、防音壁２１ａを越えて第１騒音監視ポイントの騒音センサ６１および敷地境界線２ａ側に伝わる。防音壁２１ａにおける各ルーバ１０１が少しでも開いている場合、各熱源機１０の運転音は、各ルーバ１０１の相互間の隙間を通過するとともに防音壁２１ａを越えて第１騒音監視ポイントの騒音センサ６１および敷地境界線２ａ側に伝わる。
【００２６】
防音壁２１ｂは、図６に外観を示すように、各熱源機１０の配列の短手方向に沿って配置される基台部１１１、この基台部１１１の両端にそれぞれ垂直に立位状態で配置された柱部１１２，１１３、この柱部１１２，１１３の中途部の相互間に掛け渡された梁部材１１４などを基本的な骨格として備える。そして、防音壁２１ｂは、梁部材１１４の中途部から上方に向け立位状態で配置された支持部材１１５、この支持部材１１５，梁部材１１４，柱部１１２，１１３で囲まれる空間に立位状態で配置されて当該防音壁２１ｂの上縁部を形成する複数枚の消音板１１６、これら消音板１１６の下方側の梁部１１４，柱部１１２，１１３，基台部１１１で囲まれる矩形状の空間（開口）に上下方向に沿ってそれぞれ回動自在に配列された複数（例えば８枚）のルーバ（第２ルーバ）１２１、柱部１１２に内蔵されたモータ１２２、このモータ１２２の動力を受けて各ルーバ１２１を回動する回動機構１２３、上記各消音板１１６の外面に取付けられた複数の太陽光発電パネルＰなどを備える。
【００２７】
各ルーバ１２１は、回動位置に応じて開度Ｑｂが全閉の0％から全開の100％まで連続的に変化し、この開度変化により防音壁２１ｂにおける通気量を0〜100％の範囲で調節する。各ルーバ１２１、モータ１２２、回動機構１２３により、防音壁２１ｂの通気量調節機構１２０が構成される。
【００２８】
図６に示すように各ルーバ１２１が縦方向に線状に並んで互いに接しているときの開度Ｑｂは0％の全閉状態であり、このときの防音壁２１ｂの通気量は0％である。各ルーバ１２１が45度ぐらいの角度に回動したときの開度Ｑｂは全開のほぼ半分の50％であり、このときの防音壁２１ｂの通気量は最大のほぼ半分の50％である。各ルーバ１２１の開度Ｑｂが全閉の場合、各熱源機１０の運転音は、各ルーバ１２１の相互間を通過することなく、防音壁２１ｂを越えて第２騒音監視ポイントの騒音センサ６２および敷地境界線２ｂ側に伝わる。防音壁２１ｂにおける各ルーバ１２１が少しでも開いている場合、各熱源機１０の運転音は、各ルーバ１２１の相互間の隙間を通過するとともに防音壁２１ｂを越えて第２騒音監視ポイントの騒音センサ６２および敷地境界線２ｂ側に伝わる。
【００２９】
防音壁２１ｃは、図７に外観を示すように、各熱源機１０の配列の長手方向に沿って配置される基台部１３１、この基台部１３１の両端にそれぞれ垂直に立位状態で配置された柱部１３２，１３３、この柱部１３２，１３３の中途部の相互間に掛け渡された梁部材１３４などを基本的な骨格として備える。そして、防音壁２１ｃは、梁部材１３４の複数個所から上方に向け立位状態で配置された支持部材１３５、この支持部材１３５，梁部材１３４，柱部１３２，１３３で囲まれる空間に立位状態で配置されて当該防音壁２１ｃの上縁部を形成する複数枚の消音板１３６、これら消音板１３６の下方側の梁部１３４，柱部１３２，１３３，基台部１３１で囲まれる矩形状の空間（開口）に上下方向に沿ってそれぞれ回動自在に配列された複数（例えば８枚）のルーバ（第３ルーバ）１４１、柱部１３２に内蔵されたモータ１４２、このモータ１４２の動力を受けて各ルーバ１４１を回動する回動機構１４３、上記各消音板１３６の外面に貼付された複数枚の太陽光発電パネルＰなどを備える。
【００３０】
各ルーバ１４１は、回動位置に応じて開度Ｑｃが全閉の0％から全開の100％まで連続的に変化し、この開度変化により防音壁２１ｃにおける通気量を0〜100％の範囲で調節する。各ルーバ１４１、モータ１４２、回動機構１４３により、防音壁２１ｃの通気量調節機構１４０が構成される。
【００３１】
図７に示すように各ルーバ１４１が縦方向に線状に並んで互いに接しているときの開度Ｑｃは0％の全閉状態であり、このときの防音壁２１ｃの通気量は0％である。各ルーバ１４１が45度ぐらいの角度に回動したときの開度Ｑｃは全開のほぼ半分の50％であり、このときの防音壁２１ｃの通気量は最大のほぼ半分の50％である。各ルーバ１４１の開度Ｑｃが全閉の場合、各熱源機１０の運転音は、各ルーバ１４１の相互間を通過することなく、防音壁２１ｃを越えて第３騒音監視ポイント（騒音センサ６３）および敷地境界線２ｃ側に伝わる。防音壁２１ｃにおける各ルーバ１４１が少しでも開いている場合、各熱源機１０の運転音は、各ルーバ１４１の相互間の隙間を通過するとともに防音壁２１ｃを越えて第３騒音監視ポイントの騒音センサ６３および敷地境界線２ｃ側に伝わる。
【００３２】
防音壁２１ｄは、図８に外観を示すように、各熱源機１０の配列の短手方向に沿って配置される基台部１５１、この基台部１５１の両端にそれぞれ垂直に立位状態で配置された柱部１５２，１５３、この柱部１５２，１５３の中途部の相互間に掛け渡された梁部材１５４などを基本的な骨格として備える。そして、防音壁２１ｄは、梁部材１５４の中途部から上方に向け立位状態で配置された支持部材１５５、この支持部材１５５，梁部材１５４，柱部１５２，１５３で囲まれる空間に立位状態で配置されて当該防音壁２１ｄの上縁部を形成する複数枚の消音板１５６、これら消音板１５６の下方側の梁部１５４，柱部１５２，１５３，基台部１５１で囲まれる矩形状の空間（開口）に上下方向に沿ってそれぞれ回動自在に配列された複数（例えば８枚）のルーバ（第４ルーバ）１６１、柱部１５２に内蔵されたモータ１６２、このモータ１６２の動力を受けて各ルーバ１６１を回動する回動機構１６３、上記各消音板１５６の外面に貼付された複数枚の太陽光発電パネルＰなどを備える。
【００３３】
各ルーバ１６１は、回動位置に応じて開度Ｑｄが全閉の0％から全開の100％まで連続的に変化し、この開度変化により防音壁２１ｄにおける通気量を0〜100％の範囲で調節する。各ルーバ１６１、モータ１６２、回動機構１６３により、防音壁２１ｄの通気量調節機構１６０が構成される。
【００３４】
図８に示すように各ルーバ１６１が縦方向に線状に並んで互いに接しているときの開度Ｑｄは0％の全閉状態であり、このときの防音壁２１ｄの通気量は0％である。各ルーバ１６１が45度ぐらいの角度に回動したときの開度Ｑｄは全開のほぼ半分の50％であり、このときの防音壁２１ｄの通気量は最大のほぼ半分の50％である。各ルーバ１６１の開度Ｑｄが全閉の場合、各熱源機１０の運転音は、各ルーバ１６１の相互間を通過することなく、防音壁２１ｄを越えて第４騒音監視ポイントの騒音センサ６４および敷地境界線２ｄ側に伝わる。防音壁２１ｄにおける各ルーバ１６１が少しでも開いている場合、各熱源機１０の運転音は、各ルーバ１６１の相互間の隙間を通過するとともに防音壁２１ｄを越えて第４騒音監視ポイントの騒音センサ６４および敷地境界線２ｄ側に伝わる。
【００３５】
上記各太陽光発電パネルＰの発電電力は、屋上平面４や屋上機械室５に存する各種機器たとえばポンプ４２、コントローラ７０、駆動部７１などの動作用電力として使用することができる。
【００３６】
上記コントローラ７０は、上記騒音規制値Ｎ（騒音規制値Ｎ１，Ｎ２，Ｎ３）を内部メモリに記憶しており、各熱源機１０から敷地１外に伝わる音がその騒音規制値Ｎに収まる範囲で防音壁２１ａ〜２１ｄの通気量が最大となるよう、各ルーバ１０１，１２１，１４１，１６１の開度Ｑａ，Ｑｂ，Ｑｃ，Ｑｄをそれぞれ制御するもので、具体的な制御手段として次の制御セクション７０ａ〜７０ｃを含む。
【００３７】
なお、コントローラ７０の上記内部メモリには、騒音規制値Ｎのほかに、『第１〜第４騒音監視ポイントと敷地境界線２ａ〜２ｄとの間の最短の距離Ｌａ，Ｌｂ，Ｌｃ，Ｌｄ』『第１〜第４騒音監視ポイントと敷地境界線２ａ〜２ｄとの間に存する建築物の有無や高さ寸法』『屋上平面４の高さ寸法』『屋上機械室５の屋根の高さ寸法』などのデータが、騒音規制値Ｎを第１〜第４騒音監視ポイント（騒音センサ６１〜６４の位置）における騒音制限値Ｎａｓ，Ｎｂｓ，Ｎｃｓ，Ｎｄｓに換算する際の重み付けデータとして予め記憶されている。この重み付けデータは、例えば係員がコントローラ７０に情報端末を接続してデータの入力作業を行うことにより、適宜に更新することが可能である。
【００３８】
制御セクション７０ａは、各熱源機１０の１つまたは複数の運転オンに際し、上記重み付けデータを用いる演算により、騒音規制値Ｎを第１〜第４騒音監視ポイント（騒音センサ６１〜６４の位置）における騒音制限値（第１〜第４騒音制限値）Ｎａｓ，Ｎｂｓ，Ｎｃｓ，Ｎｄｓに換算する。
【００３９】
騒音制限値Ｎａｓは、夜間時間帯の騒音制限値Ｎａ１，朝夕時間帯の騒音制限値Ｎａ２（＞Ｎａ１），昼間時間帯の騒音制限値Ｎａ３（＞Ｎａ２）を含む。同様に、騒音制限値Ｎｂｓ，Ｎｃｓ，Ｎｄｓは、夜間時間帯の騒音制限値Ｎｂ１，Ｎｃ１，Ｎｄ１、朝夕時間帯の騒音制限値Ｎｂ２，Ｎｃ２，Ｎｄ２，昼間時間帯の騒音制限値Ｎｂ３，Ｎｃ３，Ｎｄ３をそれぞれ含む。
【００４０】
制御セクション７０ｂは、第１騒音監視ポイントにおける騒音センサ６１の検知音レベルＮａが騒音制限値Ｎａｓ（Ｎａ１，Ｎａ２，Ｎａ３）に収まる範囲で防音壁２１ａの通気量が最大となるよう、各ルーバ１０１の開度Ｑａを制御する。同様に、制御セクション７０ｂは、第２〜第４騒音監視ポイントにおける騒音センサ６２，６３，６４の検知音レベルＮｂ，Ｎｃ，Ｎｄがそれぞれ騒音制限値Ｎｂｓ，Ｎｃｓ，Ｎｄｓに収まる範囲で防音壁２１ｂ，２１ｃ，２１ｄの通気量がそれぞれ最大となるよう、ルーバ１２１，１４１，１６１の開度Ｑｂ，Ｑｃ，Ｑｄをそれぞれ制御する。
【００４１】
制御セクション７０ｃは、夜間時間帯（例えば22時〜6時）・朝夕時間帯（例えば6時〜8時と19時〜22時）・昼間時間帯（例えば8時〜19時）を内部時計により監視し、騒音規制が最も厳しい夜間時間帯において散水ノズル３１〜３６による散水を連続的に実行し、騒音規制が次に厳しい朝夕時間帯において散水ノズル３１〜３６による散水を間欠的（断続的ともいう）に実行し、騒音規制が比較的に緩い昼間時間帯（例えば9時〜16時）において散水ノズル３１〜３６による散水を停止（オフ）する。なお、気温があまり高くならない春季や秋季あるいは気温が大きく低下する冬季の朝夕時間帯では、散水ノズル３１〜３６による散水を停止（オフ）する制御を採用してもよい。
【００４２】
具体的には、夜間時間帯において、制御セクション７０ｃは、全ての散水ノズル３１〜３６による散水を空気温度センサ５１，５２，５３，５４の検知温度Ｔａ，Ｔｂ，Ｔｃ，Ｔｄにかかわらず連続的に実行する。
【００４３】
朝夕時間帯において、制御セクション７０ｃは、防音壁２１ａの内側の空気温度センサ５１の検知温度Ｔａが設定値Ｔｓ未満の場合は冷却補助のため防音壁２１ａ側の散水ノズル３１，３２，３３による散水を間欠的に実行（または停止）し、検知温度Ｔａが設定値Ｔｓ以上の場合は異常温度上昇を防ぐため散水ノズル３１，３２，３３による散水を連続的に実行する。同様に、朝夕時間帯において、制御セクション７０ｃは、防音壁２１ｂの内側の空気温度センサ５２の検知温度Ｔｂが設定値Ｔｓ未満の場合に防音壁２１ｂ側の散水ノズル３１，３４による散水を間欠的に実行（または停止）し、検知温度Ｔｂが設定値Ｔｓ以上の場合は冷却不不足であるとの判断の下に散水ノズル３１，３４による散水を連続的に実行する。防音壁２１ｃの内側の空気温度センサ５３の検知温度Ｔｃが設定値Ｔｓ未満の場合に防音壁２１ｃ側の散水ノズル３４，３５，３６による散水を間欠的に実行（または停止）し、検知温度Ｔｃが設定値Ｔｓ以上の場合は冷却不不足であるとの判断の下に散水ノズル３４，３５，３６による散水を連続的に実行する。防音壁２１ｄの内側の空気温度センサ５４の検知温度Ｔｄが設定値Ｔｓ未満の場合に防音壁２１ｄ側の散水ノズル３３，３６による散水を間欠的に実行（または停止）し、検知温度Ｔｄが設定値Ｔｓ以上の場合は冷却不不足であるとの判断の下に散水ノズル３３，３６による散水を連続的に実行する。
【００４４】
昼間時間帯において、制御セクション７０ｃは、防音壁２１ａの内側の空気温度Ｔａが設定値Ｔｓ未満の場合に散水ノズル３１，３２，３３による散水を停止し、空気温度Ｔａが設定値Ｔｓ以上の場合は冷却不不足であるとの判断の下に散水ノズル３１，３２，３３による散水を連続的または間欠的に実行する。同様に、昼間時間帯において、制御セクション７０ｃは、防音壁２１ｂの内側の空気温度Ｔｂが設定値Ｔｓ未満の場合に散水ノズル３１，３４による散水を停止し、空気温度Ｔａが設定値Ｔｓ以上の場合は冷却不不足であるとの判断の下に散水ノズル３１，３４による散水を連続的または間欠的に実行する。防音壁２１ｃの内側の空気温度Ｔｃが設定値Ｔｓ未満の場合に散水ノズル３４，３５，３６による散水を停止し、空気温度Ｔｃが設定値Ｔｓ以上の場合は冷却不不足であるとの判断の下に散水ノズル３４，３５，３６による散水を連続的または間欠的に実行する。防音壁２１ｄの内側の空気温度Ｔｄが設定値Ｔｓ未満の場合に散水ノズル３３，３６による散水を停止し、空気温度Ｔａが設定値Ｔｓ以上の場合は冷却不不足であるとの判断の下に散水ノズル３３，３６による散水を連続的または間欠的に実行する。
【００４５】
上記防音壁２１ａ〜２１ｄ、散水ノズル３１〜３６、水管４１，４４、ポンプ４２、タンク４３、空気温度センサ５１〜５４、騒音センサ６１〜６４、コントローラ７０、駆動部７１、通気量調節機構１００，１２０，１４０，１６０により、各熱源機１０から敷地１外に伝わる騒音を低減する騒音低減装置が構成される。
【００４６】
つぎに、上記コントローラ７０が実行する制御を図９のフローチャートおよび図１０のタイムチャートを参照しながら説明する。図９のフローチャート中のステップS1，S2…については、単にS1，S2…と略称する。図１０のタイムチャートは、図９のフローチャートのうち防音壁２１ａに関わる制御の時間的変化を示している。
【００４７】
各熱源機１０の少なくとも１つの熱源機の運転オンに際し（S1のYES）、コントローラ７０は、内部メモリから騒音規制値Ｎおよび重み付けデータを読込み（S2）、読込んだ騒音規制値Ｎを同読込んだ重み付けデータに基づいて補正する演算により、騒音規制値Ｎを第１騒音監視ポイントにおける騒音制限値Ｎａｓ（Ｎａ１，Ｎｂ２，Ｎｃ３）、第２騒音監視ポイントにおける騒音制限値Ｎｂｓ（Ｎｂ１，Ｎｂ２，Ｎｂ３）、第３騒音監視ポイントにおける騒音制限値Ｎｃｓ（Ｎｃ１，Ｎｃ２，Ｎｃ３）、第４騒音監視ポイントにおける騒音制限値Ｎｄｓ（Ｎｄ１，Ｎｄ２，Ｎｄ３）にそれぞれ換算し設定する（S3）。
【００４８】
そして、コントローラ７０は、夜間時間帯・朝夕時間帯・昼間時間帯の訪れを内部時計により監視する（S4，S23）。
【００４９】
［朝夕時間帯］  
朝夕時間帯において（S4のYES）、コントローラ７０は、第１騒音監視ポイントにおける騒音センサ６１の検知音レベルＮａが上記設定した朝夕時間帯の騒音制限値Ｎａ２に収まる範囲で防音壁２１ａの通気量が最大となるよう、防音壁２１ａにおける各ルーバ１０１の開度Ｑａを制御する（S5）。
【００５０】
防音壁２１ａにおける各ルーバ１０１の開度Ｑａが大きいほど、防音壁２１ａの通気量が増大し、各熱源機１０から防音壁２１ａの外に伝わる音も増大する。防音壁２１ａにおける各ルーバ１０１の開度Ｑａが小さいほど、防音壁２１ａの通気量が減少し、各熱源機１０から防音壁２１ａの外に伝わる音も減少する。
【００５１】
したがって、コントローラ７０は、具体的には、各熱源機１０から防音壁２１ａの外に伝わる音を減少させるべく各ルーバ１０１の開度Ｑａを減少していき、検知音レベルＮａが朝夕時間帯の騒音制限値Ｎａ２に収まったところでその時点の開度Ｑａ（例えば50％）を保持する。この開度Ｑａは、検知音レベルＮａが朝夕時間帯の騒音制限値Ｎａ２に収まる範囲で最も大きい。
【００５２】
同様に、コントローラ７０は、第２，第３，第４騒音監視ポイントにおける騒音センサ６２，６３，６４の検知音レベルＮｂ，Ｎｃ，Ｎｄが上記設定した騒音制限値Ｎｂ２，Ｎｃ２，Ｎｄ２に収まる範囲で防音壁２１ｂ，２１ｃ，２１ｄの通気量が最大となるよう、防音壁２１ｂ，２１ｃ，２１ｄにおける各ルーバ１２１，１４１，１６１の開度Ｑｂ，Ｑｃ，Ｑｄをそれぞれ制御する（S6，S7，S8）。
【００５３】
具体的には、コントローラ７０は、各熱源機１０から防音壁２１ｂ，２１ｃ，２１ｄの外に伝わる音を減少させるべく各ルーバ１２１，１４１，１６１の開度Ｑｂ，Ｑｃ，Ｑｄを減少していき、検知音レベルＮｂ，Ｎｃ，Ｎｄが騒音制限値Ｎｂ２，Ｎｃ２，Ｎｄ２を下回ったところでその時点の開度Ｑｂ，Ｑｃ，Ｑｄ（例えば50％）を保持する。これら開度Ｑｂ，Ｑｃ，Ｑｄは、検知音レベルＮｂ，Ｎｃ，Ｎｄが朝夕時間帯の騒音制限値Ｎｂ２，Ｎｃ２，Ｎｄ２に収まる範囲で最も大きい。
【００５４】
このように、第１〜第４騒音監視ポイントにおける騒音センサ６１〜６４の検知音レベルＮａ〜Ｎｄが朝夕時間帯の騒音制限値Ｎａ２〜Ｎｄ２に収まる範囲で防音壁２１ａ〜２１ｄの通気量が最大となるよう、防音壁２１ａ〜２１ｄにおける各ルーバ１０１〜１６１の開度Ｑａ〜Ｑｄをそれぞれ制御することにより、防音壁２１ａ〜２１ｄの通気量（各熱源機１０に対する冷却能力）をできるだけ多く確保しながら、各熱源機１０から敷地１外に伝わる音を朝夕時間帯の騒音規制値Ｎ２に確実に抑えることができる。
【００５５】
この開度制御に伴い、コントローラ７０は、防音壁２１ａの内側の空気温度センサ５１の検知温度Ｔａと設定値Ｔｓとを比較する（S9）。  
空気温度センサ５１の検知温度Ｔａが設定値Ｔｓ未満の場合（S9のYES）、コントローラ７０は、防音壁２１ａ側の散水ノズル３１，３２，３３による散水を間欠的に実行する（S10；散水のオン，オフ）。すなわち、散水ノズル３１，３２，３３からミスト状の水が間欠的に放出され、それが主として防音壁２１ａの内側に存する複数の熱源機１０に降り注ぐ。これにより、各ルーバ１０１の開度Ｑａが縮小方向に制御されて防音壁２１ａの通気量が減少しても、防音壁２１ａの内側に存する各熱源機１０の冷却不足を補うことができる。各熱源機１０に対する冷却能力は、各ルーバ１０１の通風による冷却分と、間欠散水による冷却分である。
【００５６】
ただし、空気温度センサ５１の検知温度Ｔａが設定値Ｔｓ以上に上昇した場合（S9のNO）、コントローラ７０は、防音壁２１ａ側の散水ノズル３１，３２，３３による散水を連続的に実行する（S11）。これにより、防音壁２１ａの内側に存する各熱源機１０の異常温度上昇を防止することができる。
【００５７】
同様に、コントローラ７０は、空気温度センサ５２の検知温度Ｔｂが設定値Ｔｓ未満の場合（S12のYES）、防音壁２１ｂ側の散水ノズル３１，３４による散水を間欠的に実行する（S13）。すなわち、散水ノズル３１，３４からミスト状の水が間欠的に放出され、それが主として防音壁２１ｂの内側に存する複数の熱源機１０に降り注ぐ。これにより、各ルーバ１２１の開度Ｑｂが縮小方向に制御されて防音壁２１ｂの通気量が減少しても、防音壁２１ｂの内側に存する各熱源機１０の冷却不足を補うことができる。
【００５８】
ただし、空気温度センサ５２の検知温度Ｔｂが設定値Ｔｓ以上に上昇した場合（S12のNO）、コントローラ７０は、防音壁２１ｂ側の散水ノズル３１，３４による散水を連続的に実行する（S14）。これにより、防音壁２１ｂの内側に存する各熱源機１０の異常温度上昇を防止することができる。
【００５９】
また、コントローラ７０は、空気温度センサ５３の検知温度Ｔｃが設定値Ｔｓ未満の場合（S15のYES）、防音壁２１ｃ側の散水ノズル３４，３５，３６による散水を間欠的に実行する（S16）。すなわち、散水ノズル３４，３５，３６からミスト状の水が間欠的に放出され、それが主として防音壁２１ｃの内側に存する複数の熱源機１０に降り注ぐ。これにより、各ルーバ１４１の開度Ｑｃが縮小方向に制御されて防音壁２１ｃの通気量が減少しても、防音壁２１ｃの内側に存する各熱源機１０の冷却不足を補うことができる。
【００６０】
ただし、空気温度センサ５３の検知温度Ｔｃが設定値Ｔｓ以上に上昇した場合（S15のNO）、コントローラ７０は、防音壁２１ｃ側の散水ノズル３４，３５，３６による散水を連続的に実行する（S17）。これにより、防音壁２１ｃの内側に存する各熱源機１０の異常温度上昇を防止することができる。
【００６１】
さらに、コントローラ７０は、空気温度センサ５４の検知温度Ｔｄが設定値Ｔｓ未満の場合（S18のYES）、防音壁２１ｄ側の散水ノズル３３，３６による散水を間欠的に実行する（S19）。すなわち、散水ノズル３３，３６からミスト状の水が間欠的に放出され、それが主として防音壁２１ｄの内側に存する複数の熱源機１０に降り注ぐ。これにより、各ルーバ１６１の開度Ｑｄが縮小方向に制御されて防音壁２１ｄの通気量が減少しても、防音壁２１ｄの内側に存する各熱源機１０の冷却不足を補うことができる。
【００６２】
ただし、空気温度センサ５４の検知温度Ｔｄが設定値Ｔｓ以上に上昇した場合（S18のNO）、コントローラ７０は、防音壁２１ｄ側の散水ノズル３３，３６による散水を連続的に実行する（S20）。これにより、防音壁２１ｄの内側に存する各熱源機１０の異常温度上昇を防止することができる。
【００６３】
この散水制御に続き、コントローラ７０は、各熱源機１０の全てが運転オフであるか否かを監視する（S21）。各熱源機１０の少なくとも１つが運転オンしている場合（S21のNO）、コントローラ７０は、上記Ｓ４の判定に戻る。各熱源機１０の全てが運転オフとなった場合（S21のYES）、コントローラ７０は、防音の必要がないとの判断の下に、防音壁２１ａ〜２１ｄの全てのルーバ１０１，１２１，１４１、１６１を全開する（S22）。
【００６４】
［昼間時間帯］  
昼間時間帯において（S4のNO、S23のYES）、コントローラ７０は、第１騒音監視ポイントにおける騒音センサ６１の検知音レベルＮａが上記設定した昼間時間帯の騒音制限値Ｎａ３に収まる範囲で防音壁２１ａの通気量が最大となるよう、防音壁２１ａにおける各ルーバ１０１の開度Ｑａを制御する（S24）。
【００６５】
具体的には、コントローラ７０は、各熱源機１０から防音壁２１ａの外に伝わる音を減少させるべく各ルーバ１０１の開度Ｑａを減少していき、検知音レベルＮａが昼間時間帯の騒音制限値Ｎａ３を下回ったところでその時点の開度Ｑａ（例えば100％）を保持する。この開度Ｑａは、検知音レベルＮａが昼間時間帯の騒音制限値Ｎａ２に収まる範囲で最も大きい。
【００６６】
同様に、コントローラ７０は、第２，第３，第４騒音監視ポイントにおける騒音センサ６２，６３，６４の検知音レベルＮｂ，Ｎｃ，Ｎｄが上記設定した昼間時間帯の騒音制限値Ｎｂ３，Ｎｃ３，Ｎｄ３に収まる範囲で防音壁２１ｂ，２１ｃ，２１ｄの通気量が最大となるよう、防音壁２１ｂ，２１ｃ，２１ｄにおける各ルーバ１２１，１４１，１６１の開度Ｑｂ，Ｑｃ，Ｑｄをそれぞれ制御する（S25，S26，S27）。
【００６７】
具体的には、コントローラ７０は、各熱源機１０から防音壁２１ｂ，２１ｃ，２１ｄの外に伝わる音を減少させるべく各ルーバ１２１，１４１，１６１の開度Ｑｂ，Ｑｃ，Ｑｄを減少していき、検知音レベルＮｂ，Ｎｃ，Ｎｄが昼間時間帯の騒音制限値Ｎｂ３，Ｎｃ３，Ｎｄ３を下回ったところでその時点の開度Ｑｂ，Ｑｃ，Ｑｄ（例えば100％）を保持する。これら開度Ｑｂ，Ｑｃ，Ｑｄは、検知音レベルＮｂ，Ｎｃ，Ｎｄが昼間時間帯の騒音制限値Ｎｂ３，Ｎｃ３，Ｎｄ３に収まる範囲で最も大きい。
【００６８】
このように、第１〜第４騒音監視ポイントにおける騒音センサ６１〜６４の検知音レベルＮａ〜Ｎｄが昼間時間帯の騒音制限値Ｎａ３〜Ｎｄ３に収まる範囲で防音壁２１ａ〜２１ｄの通気量が最大となるよう、防音壁２１ａ〜２１ｄにおける各ルーバ１０１〜１６１の開度Ｑａ〜Ｑｄをそれぞれ制御することにより、防音壁２１ａ〜２１ｄの通気量をできるだけ多く確保しながら、各熱源機１０から敷地１外に伝わる音を昼間時間帯の騒音規制値Ｎ３に確実に抑えることができる。
【００６９】
この開度制御に伴い、コントローラ７０は、防音壁２１ａの内側の空気温度センサ５１の検知温度Ｔａと設定値Ｔｓとを比較する（S28）。
【００７０】
空気温度センサ５１の検知温度Ｔａが設定値Ｔｓ未満の場合（S28のYES）、コントローラ７０は、防音壁２１ａ側の散水ノズル３１，３２，３３による散水をオフ（停止）する（S29）。すなわち、昼間時間帯の騒音規制値Ｎ３は厳しくなく、よって各ルーバ１０１の開度Ｑａが大きめに制御されて防音壁２１ａの通気量が十分に確保されるので、散水による冷却を不要としている。
【００７１】
ただし、空気温度センサ５１の検知温度Ｔａが設定値Ｔｓ以上に上昇した場合（S28のNO）、コントローラ７０は、防音壁２１ａ側の散水ノズル３１，３２，３３による散水を連続的に実行する（S30）。これにより、防音壁２１ａの内側に存する各熱源機１０の異常温度上昇を防止することができる。
【００７２】
同様に、コントローラ７０は、空気温度センサ５２の検知温度Ｔｂが設定値Ｔｓ未満の場合（S31のYES）、防音壁２１ｂ側の散水ノズル３１，３４による散水をオフする（S32）。昼間時間帯の騒音規制値Ｎ３は厳しくなく、よって各ルーバ１２１の開度Ｑｂが大きめに制御されて防音壁２１ｂの通気量が十分に確保されるので、散水による冷却を不要としている。
【００７３】
ただし、空気温度センサ５２の検知温度Ｔｂが設定値Ｔｓ以上に上昇した場合（S31のNO）、コントローラ７０は、防音壁２１ｂ側の散水ノズル３１，３４による散水を連続的に実行する（S33）。これにより、防音壁２１ｂの内側に存する各熱源機１０の異常温度上昇を防止することができる。
【００７４】
また、コントローラ７０は、空気温度センサ５３の検知温度Ｔｃが設定値Ｔｓ未満の場合（S34のYES）、防音壁２１ｃ側の散水ノズル３４，３５，３６による散水をオフする（S35）。昼間時間帯の騒音規制値Ｎ３は厳しくなく、よって各ルーバ１４１の開度Ｑｃが大きめに制御されて防音壁２１ｃの通気量が十分に確保されるので、散水による冷却を不要としている。
【００７５】
ただし、空気温度センサ５３の検知温度Ｔｃが設定値Ｔｓ以上に上昇した場合（S34のNO）、コントローラ７０は、防音壁２１ｃ側の散水ノズル３４，３５，３６による散水を連続的に実行する（S36）。これにより、防音壁２１ｃの内側に存する各熱源機１０の異常温度上昇を防止することができる。
【００７６】
さらに、コントローラ７０は、空気温度センサ５４の検知温度Ｔｄが設定値Ｔｓ未満の場合（S37のYES）、防音壁２１ｄ側の散水ノズル３３，３６による散水をオフする（S38）。昼間時間帯の騒音規制値Ｎ３は厳しくなく、よって各ルーバ１６１の開度Ｑｄが大きめに制御されて防音壁２１ｄの通気量が十分に確保されるので、散水による冷却を不要としている。
【００７７】
ただし、空気温度センサ５４の検知温度Ｔｄが設定値Ｔｓ以上に上昇した場合（S37のNO）、コントローラ７０は、防音壁２１ｄ側の散水ノズル３３，３６による散水を連続的に実行する（S39）。これにより、防音壁２１ｄの内側に存する各熱源機１０の異常温度上昇を防止することができる。
【００７８】
この散水制御に続き、コントローラ７０は、各熱源機１０の全てが運転オフであるか否かを監視する（S21）。各熱源機１０の少なくとも１つが運転オンしている場合（S21のNO）、コントローラ７０は、上記Ｓ４の判定に戻る。各熱源機１０の全てが運転オフとなった場合（S21のYES）、コントローラ７０は、防音の必要がないとの判断の下に、防音壁２１ａ〜２１ｄの全てのルーバ１０１，１２１，１４１、１６１を全開する（S22）。
【００７９】
［夜間時間帯］  
夜間時間帯において（S4のNO、S23のNO）、コントローラ７０は、運転オンしている全ての熱源機１０に対し、ファン１２を低回転数で運転させる低騒音モードの設定を指示する（S40）。そして、コントローラ７０は、第１騒音監視ポイントにおける騒音センサ６１の検知音レベルＮａが上記設定した夜間時間帯の騒音制限値Ｎａ１に収まる範囲で防音壁２１ａの通気量が最大となるよう、防音壁２１ａにおける各ルーバ１０１の開度Ｑａを制御する（S41）。
【００８０】
具体的には、コントローラ７０は、各熱源機１０から防音壁２１ａの外に伝わる音を減少させるべく各ルーバ１０１の開度Ｑａを減少していき、検知音レベルＮａが夜間時間帯の騒音制限値Ｎａ１を下回ったところでその時点の開度Ｑａ（例えば10％）を保持する。この開度Ｑａは、検知音レベルＮａが夜間時間帯の騒音制限値Ｎａ１に収まる範囲で最も大きい。
【００８１】
同様に、コントローラ７０は、第２，第３，第４騒音監視ポイントにおける騒音センサ６２，６３，６４の検知音レベルＮｂ，Ｎｃ，Ｎｄが上記設定した騒音制限値Ｎｂ１，Ｎｃ１，Ｎｄ１に収まる範囲で防音壁２１ｂ，２１ｃ，２１ｄの通気量が最大となるよう、防音壁２１ｂ，２１ｃ，２１ｄにおける各ルーバ１２１，１４１，１６１の開度Ｑｂ，Ｑｃ，Ｑｄをそれぞれ制御する（S42，S43，S44）。
【００８２】
具体的には、コントローラ７０は、各熱源機１０から防音壁２１ｂ，２１ｃ，２１ｄの外に伝わる音を減少させるべく各ルーバ１２１，１４１，１６１の開度Ｑｂ，Ｑｃ，Ｑｄを減少していき、検知音レベルＮｂ，Ｎｃ，Ｎｄが騒音制限値Ｎｂ１，Ｎｃ１，Ｎｄ１を下回ったところでその時点の開度Ｑｂ，Ｑｃ，Ｑｄ（例えば10％）を保持する。これら開度Ｑｂ，Ｑｃ，Ｑｄは、検知音レベルＮｂ，Ｎｃ，Ｎｄが夜間時間帯の騒音制限値Ｎｂ１，Ｎｃ１，Ｎｄ１に収まる範囲で最も大きい。
【００８３】
このように、第１〜第４騒音監視ポイントにおける騒音センサ６１〜６４の検知音レベルＮａ〜Ｎｄが夜間時間帯の騒音制限値Ｎａ１〜Ｎｄ１に収まる範囲で防音壁２１ａ〜２１ｄの通気量が最大となるよう、防音壁２１ａ〜２１ｄにおける各ルーバ１０１〜１６１の開度Ｑａ〜Ｑｄをそれぞれ制御することにより、防音壁２１ａ〜２１ｄの通気量をできるだけ多く確保しながら、各熱源機１０から敷地１外に伝わる音を夜間時間帯の騒音規制値Ｎ１に確実に抑えることができる。
【００８４】
この開度制御に伴い、コントローラ７０は、全ての散水ノズル３１〜３６による散水を空気温度センサ５１，５２，５３，５４の検知温度Ｔａ，Ｔｂ，Ｔｃ，Ｔｄにかかわらず連続的に実行する（S45，S46，S47，S48）。これにより、各ルーバ１０１，１２１，１４１，１６１の開度Ｑａ，Ｑｂ，Ｑｃ，Ｑｄが縮小方向に制御されて防音壁２１ａ〜２１ｄの通気量が減少しても、それによる各熱源機１０の冷却不足を補うことができる。
【００８５】
この散水制御に続き、コントローラ７０は、各熱源機１０の全てが運転オフであるか否かを監視する（S21）。各熱源機１０の少なくとも１つが運転オンしている場合（S21のNO）、コントローラ７０は、上記Ｓ４の判定に戻る。各熱源機１０の全てが運転オフとなった場合（S21のYES）、コントローラ７０は、防音の必要がないとの判断の下に、防音壁２１ａ〜２１ｄの全てのルーバ１０１，１２１，１４１、１６１を全開する（S22）。
【００８６】
［変形例］
上記実施形態では、防音壁２１ａ〜２１ｄと敷地境界線２ａ〜２ｄとの間の第１〜第４騒音監視ポイントに騒音センサ６１〜６４を配置したが、敷地境界線２ａ〜２ｄに騒音センサ６１〜６４を配置してもよい。この場合、騒音規制値Ｎがそのまま騒音制限値Ｎａｓ，Ｎｂｓ，Ｎｃｓ，Ｎｄｓとなる。騒音規制値Ｎから騒音制限値Ｎａｓ，Ｎｂｓ，Ｎｃｓ，Ｎｄｓへの換算が不要となり、その分、コントローラ７０の負担を軽減できる。
【００８７】
上記実施形態では、４つの防音壁２１ａ〜２１ｄを矩形状に順次に連結する構成としたが、防音壁の個数および形状については各熱源機１０の配置や屋上平面４の形状などに応じて適宜に選定すればよい。
【００８８】
上記実施形態では、各ルーバ１０１の全てについて互いに同じ開度Ｑａを設定する場合を例に説明したが、各ルーバ１０１の高さ方向において値が少しずつ異なる開度Ｑａを段階的に設定してもよい。例えば、高さ位置が低いところの１つまたは複数のルーバ１０１については大き目の開度Ｑａを設定し、高さ位置が高くなるほど少しずつ小さくなる開度Ｑａを各ルーバ１０１に対し段階的に設定してもよい。各熱源機１０は高さ位置が低いところの空気を熱交換用空気として取込みかつ熱交換後の空気を上方に向けて排出するので、高さ位置が低いところでは大き目の開度Ｑａを設定し、高さ位置が高くなるほど少しずつ小さくなる開度Ｑａを設定することにより、騒音の抑制については上記実施形態と同様の効果を得ながら、熱交換用空気を各熱源機１０に効率よく取込ませることができる。
【００８９】
その他、上記実施形態は、例として提示したものであり、発明の範囲を限定することは意図していない。これら実施形態は、その他の様々な形態で実施されることが可能であり、発明の要旨を逸脱しない範囲で、種々の省略、書き換え、変更を行うことができる。これら実施形態は、発明の範囲は要旨に含まれるとともに、特許請求の範囲に記載された発明とその均等の範囲に含まれる。
【符号の説明】
【００９０】
１…敷地、２ａ〜２ｄ…敷地境界線、３…建物、４…屋上平面、１０…熱源機、２１ａ〜２１ｄ…防音壁、３１〜３６…散水ノズル（散水手段）、５１〜５４…空気温度センサ、６１〜６４…騒音センサ、７０…コントローラ、８６…消音板、１００，１２０，１４０，１６０…通気量調節機構、１０１，１２１，１４１，１６１…ルーバ
【図１】
0006935469.tif 000002
【図２】
0006935469.tif 000003
【図３】
0006935469.tif 000004
【図４】
0006935469.tif 000005
【図５】
0006935469.tif 000006
【図６】
0006935469.tif 000007
【図７】
0006935469.tif 000008
【図８】
0006935469.tif 000009
【図９】
0006935469.tif 000010
【図１０】
0006935469.tif 000011